(57)【要約】【課題】外付け納まりのリフォームサッシを、屋内側から安全かつ容易に施工しうるサッシ構造と、その施工方法を提供する。【解決手段】既設サッシの枠体２０は、その屋外寄りの位置で左右の縦枠材２３及び上枠材２１から枠内へ面一に張り出す取付面部（縦枠補助材５０の屋外側見付面）と、それよりも屋内寄りの位置で左右の縦枠材２３から枠内に張り出すビス受け部（網戸押え片３３）とを具備する。新設サッシの枠体４０は、その屋外寄りの位置で左右の縦枠材４３及び上枠材４１から枠外へ面一に張り出す当接面部４６と、それよりも屋内寄りの位置で左右の縦枠材に沿うビス止め部４８とを具備する。既設サッシの枠体２０に新設サッシの枠体４０を屋外側から装着し、既設サッシ側の取付面部に新設サッシ側の当接面部４６を重合させた状態で、ビス受け部にビス止め部４８をビス固定する。【選択図】  図７
2010216232.tif 000002
【特許請求の範囲】
【請求項１】
建物の開口部に取り付けられた既設サッシの枠体に、その屋外側から新設サッシの枠体を取り付けて構成される外付け納まりのリフォームサッシにおいて、
既設サッシの枠体は、該枠体の屋内外方向における屋外寄りの位置にて左右の縦枠材及び上枠材から枠内に向かって張り出す取付面部と、該取付面部よりも屋内寄りの位置にて左右の縦枠材から枠内に向かって張り出すビス受け部とを具備し、前記取付面部の屋外側表面は該既設サッシの枠体における左右の縦枠材及び上枠材に沿って面一に連続するように形成される一方、
新設サッシの枠体は、該枠体の屋内外方向における屋外寄りの位置にて左右の縦枠材及び上枠材から枠外に向かって張り出す当接面部と、該当接面部よりも屋内寄りの位置にて左右の縦枠材に沿って設けられるビス止め部とを具備し、前記当接面部の屋内側表面は該新設サッシの枠体における左右の縦枠材及び上枠材に沿って面一に連続するように形成されて、該屋内側表面に止水部材が貼着されてなり、
既設サッシの枠体の内側に新設サッシの枠体が屋外側から装着され、既設サッシの枠体の取付面部に新設サッシの枠体の当接面部が重合された状態で、既設サッシの枠体のビス受け部と新設サッシの枠体のビス止め部とがビス固定されたことを特徴とするリフォームサッシ。
【請求項２】
請求項１に記載のリフォームサッシにおいて、
既設サッシの枠体に設けられる取付面部のうち該枠体の縦枠材に沿う部分は、該縦枠材の枠内面に添設された縦枠補助材の屋外側見付面によって構成されることを特徴とするリフォームサッシ。
【請求項３】
請求項１又は２に記載のリフォームサッシにおいて、
既設サッシの枠体におけるビス受け部は、該枠体の縦枠材に沿って設けられる取付面部よりも、さらに枠内側まで張り出すように設けられたことを特徴とするリフォームサッシ。
【請求項４】
請求項１〜３のいずれか１項に記載のリフォームサッシにおいて、
新設サッシの枠体における左右の縦枠材には、枠外方向に付勢突出する引掛手段が設けられて、既設サッシの枠体に新設サッシの枠体を装着すると、前記引掛手段が既設サッシの枠体の一部に屋内側から掛止して、新設サッシの枠体が屋外側に倒れないように仮止めされることを特徴とするリフォームサッシ。
【請求項５】
建物の開口部に取り付けられた既設サッシの枠体に、その屋外側から新設サッシの枠体を取り付ける外付け納まりのリフォームサッシの施工方法であって、
既設サッシの枠体は、該枠体の屋内外方向における屋外寄りの位置にて左右の縦枠材及び上枠材から枠内に向かって張り出す取付面部と、該取付面部よりも屋内寄りの位置にて左右の縦枠材から枠内に向かって張り出すビス受け部とを具備し、前記取付面部の屋外側表面は該既設サッシの枠体における左右の縦枠材及び上枠材に沿って面一に連続するように形成される一方、
新設サッシの枠体は、該枠体の屋内外方向における屋外寄りの位置にて左右の縦枠材及び上枠材から枠外に向かって張り出す当接面部と、該当接面部よりも屋内寄りの位置にて左右の縦枠材に沿って設けられるビス止め部とを具備し、前記当接面部の屋内側表面は該新設サッシの枠体における左右の縦枠材及び上枠材に沿って面一に連続するように形成されて、該屋内側表面に止水部材が貼着されてなり、
新設サッシの枠体を、屋内側から既設サッシの枠内を通じて一旦、屋外側に持ち出した後、既設サッシの枠体の内側に屋外側から装着し、既設サッシの枠体の取付面部に新設サッシの枠体の当接面部を重合させた状態で、既設サッシの枠体のビス受け部と新設サッシの枠体のビス止め部とを屋内側からの作業でビス固定することを特徴とするリフォームサッシの施工方法。
【請求項６】
請求項５に記載のリフォームサッシの施工方法において、
既設サッシの枠体に設けられる取付面部のうち該枠体の縦枠材に沿う部分は、既設サッシの障子を撤去した後に、既設サッシの枠体における該縦枠材の枠内面に添設する縦枠補助材の屋外側見付面によって構成されることを特徴とするリフォームサッシの施工方法。
【請求項７】
請求項５又は６に記載のリフォームサッシの施工方法において、
既設サッシの枠体におけるビス受け部は、該枠体の縦枠材に沿って設けられる取付面部よりも、さらに枠内側まで張り出すように設けられたことを特徴とするリフォームサッシの施工方法。
【請求項８】
請求項５〜７のいずれか１項に記載のリフォームサッシの施工方法において、
新設サッシの枠体における左右の縦枠材には、枠外方向に付勢突出する引掛手段が設けられて、既設サッシの枠体に新設サッシの枠体を装着すると、前記引掛手段が既設サッシの枠体の一部に屋内側から掛止して、新設サッシの枠体が屋外側に倒れないように仮止めされることを特徴とするリフォームサッシの施工方法。
【発明の詳細な説明】
【技術分野】
【０００１】
本発明は、建物の改築や修繕等に際して、既設サッシの枠体部分を残したまま、その枠体の内側に新設サッシを取り付けて構成するリフォームサッシと、そのリフォームに係る施工方法に関する。
【背景技術】
【０００２】
建物の開口部に取付けられている既設サッシを、例えば性能向上や防犯対策等の目的で新しいサッシに付け替える場合、既設サッシを丸ごと撤去した上で新設サッシを取り付けるとなると、施工範囲が躯体や内外装にまで及び、工期や手間がかかって不経済である。そこで、既設サッシのサッシ枠を躯体から撤去せずに残したまま、その既設サッシ枠を利用して新設サッシのサッシ枠を取り付けるリフォームサッシの構造や施工方法が提案されている。かかるリフォームサッシにおいては、例えば特許文献１〜３等に開示されているように、既設サッシ枠の枠内方向に張り出した部分に対して、その屋外側から、新設サッシ枠の枠外方向に張り出した取付片等を重ね、その重合箇所を屋外側からビス止めする、いわゆる外付け納まりの構造が一般的に採用されている。
【先行技術文献】
【特許文献】
【０００３】
【特許文献１】特開２００１−８２０３１号公報
【特許文献２】特開２００４−１００１７４号公報
【特許文献３】特開２００４−１２４４３６号公報
【発明の概要】
【発明が解決しようとする課題】
【０００４】
前記従来のような外付け納まりのリフォームサッシは、既設サッシ枠に対し屋外側から新設サッシ枠を当てがった状態でビス止め作業を行うようになっている。つまり、屋外側での取り付け作業となるので、施工部位が建物の２階以上であれば外部足場が必要になる。すると、足場工事の手間やコストが嵩んで、作業の危険性も増大することになる。
【０００５】
本発明は、かかる事情に鑑みてなされたもので、外付け納まりのリフォームサッシを、屋内側からでも容易に、かつ安全に施工しうるサッシの構造と、その施工方法を提供するものである。
【課題を解決するための手段】
【０００６】
上記した目的を達成するため、本発明のリフォームサッシは、建物の開口部に取り付けられた既設サッシの枠体に、その屋外側から新設サッシの枠体を取り付けて構成される外付け納まりのリフォームサッシにおいて、既設サッシの枠体は、該枠体の屋内外方向における屋外寄りの位置にて左右の縦枠材及び上枠材から枠内に向かって張り出す取付面部と、該取付面部よりも屋内寄りの位置にて左右の縦枠材から枠内に向かって張り出すビス受け部とを具備し、前記取付面部の屋外側表面は該既設サッシの枠体における左右の縦枠材及び上枠材に沿って面一に連続するように形成される一方、新設サッシの枠体は、該枠体の屋内外方向における屋外寄りの位置にて左右の縦枠材及び上枠材から枠外に向かって張り出す当接面部と、該当接面部よりも屋内寄りの位置にて左右の縦枠材に沿って設けられるビス止め部とを具備し、前記当接面部の屋内側表面は該新設サッシの枠体における左右の縦枠材及び上枠材に沿って面一に連続するように形成されて、該屋内側表面に止水部材が貼着されてなり、既設サッシの枠体の内側に新設サッシの枠体が屋外側から装着され、既設サッシの枠体の取付面部に新設サッシの枠体の当接面部が重合された状態で、既設サッシの枠体のビス受け部と新設サッシの枠体のビス止め部とがビス固定されたことを特徴とする。
【０００７】
また、本発明のリフォームサッシの施工方法は、前記のように構成される新設サッシの枠体を、屋内側から既設サッシの枠内を通じて一旦、屋外側に持ち出した後、既設サッシの枠体の内側に屋外側から装着し、既設サッシの枠体の取付面部に新設サッシの枠体の当接面部を重合させた状態で、既設サッシの枠体のビス受け部と新設サッシの枠体のビス止め部とを屋内側からの作業でビス固定することを特徴とする。
【０００８】
かかるリフォームサッシとその施工方法に係る発明においては、既設サッシの枠体に設けられる取付面部のうち該枠体の縦枠材に沿う部分を、該縦枠材の枠内面に添設した縦枠補助材の屋外側見付面によって構成することができる。
【０００９】
また、かかるリフォームサッシ及びその施工方法に係る発明においては、既設サッシの枠体におけるビス受け部を、該枠体の縦枠材に沿って設けられる取付面部よりも、さらに枠内側まで張り出すように設けるのが、枠体同士の全体的な納まり上、特に好ましい。
【００１０】
さらに、かかるリフォームサッシとその施工方法に係る発明においては、新設サッシの枠体における左右の縦枠材に、枠外方向に付勢突出する引掛手段を設けて、既設サッシの枠体に新設サッシの枠体を装着すると、前記引掛手段が既設サッシの枠体の一部（縦枠材又は縦枠補助材）に屋内側から掛止して、新設サッシの枠体が屋外側に倒れないように仮止めされるように構成するのが好ましい。
【００１１】
なお、本明細書においては、部材の納まりや位置関係の説明を明瞭にするため、開口部を貫通する方向( 壁厚方向）を「屋内外方向」と呼び、開口面内方向における中央側を「枠内側」、開口面内方向における外側を「枠外側」と呼ぶこととする。
【発明の効果】
【００１２】
上述のように構成される本発明のリフォームサッシは、既設サッシの枠体の屋外寄りの位置から枠内に向かって取付面部が面一に張り出し、この取付面部よりも屋内寄りの位置から枠内に向かってビス受け部が張り出す一方、新設サッシの枠体の屋外寄りの位置から枠外に向かって当接面部が面一に張り出し、この当接面部よりも屋内寄りの位置にビス止め部が設けられているので、既設サッシの枠体の内側に新設サッシの枠体を屋外側から装着すると、既設サッシの枠体の取付面部に新設サッシの枠体の当接面部が重合することによって水密面が形成される。そして、既設サッシの枠体のビス受け部と新設サッシの枠体のビス止め部とをビス固定することにより、既設サッシの枠体と新設サッシの枠体とが一体的に結合される。
【００１３】
上記水密面は、新設サッシ側の当接面部に貼着した止水部材を、既設サッシ側の取付面部との間に挟み込んで形成されるので、従来一般に行われているような屋外側からのシーリング充填作業は不要になる。こうして、防水納まりを乾式化することにより、施工性も格段に改善される。
【００１４】
既設サッシの枠体のビス受け部と新設サッシの枠体のビス止め部とは、取付面部と当接面部との重合箇所よりも屋内寄りの位置に、各枠体の縦枠材に沿って設けられるので、それらのビス固定作業は屋内側から容易に実施することができる。したがって、屋外側に作業用の足場を組まずとも、屋内側から安全に施工することができる。
【００１５】
かかるリフォームサッシとその施工方法に係る発明においては、既設サッシの枠体の断面形状と新設サッシの枠体の断面形状とが合致しない場合であっても、既設サッシの枠体を構成する縦枠材の枠内面に縦枠補助材を添設して、所望の取付面部を構成することができる。このような納まりを採用することにより、様々な形状を有する既設サッシの有効利用を図ることができる。
【００１６】
さらに、かかるリフォームサッシとその施工方法に係る発明においては、新設サッシの枠体に引掛手段を設け、既設サッシの枠体に新設サッシの枠体を装着したときに、該引掛手段が既設サッシの枠体の一部に屋内側から掛止して新設サッシの枠体が屋外側に倒れないように仮止めされる構成を採用することにより、施工時の作業性や安全性を各段に向上させることができる。
【図面の簡単な説明】
【００１７】
【図１】本発明の実施形態に係るリフォーム工程のうち、既設サッシの取付状態（ａ）とその障子の撤去工程（ｂ）の概要を示す斜視図である。
【図２】同リフォーム工程における、既設サッシの取付状態（ａ）及びその障子撤去後の状態（ｂ）の縦断面図である。
【図３】同リフォーム工程における、既設サッシの取付状態（ａ）及びその障子撤去後の状態（ｂ）の横断面図である。
【図４】同リフォーム工程のうち、縦枠補助材を取り付ける工程（ｃ）と、取付後の状態（ｄ）の概要を示す斜視図である。
【図５】同リフォーム工程のうち、図４の工程に続いて新設サッシを屋内側から屋外側に持ち出す工程（ｅ）と、屋内側に引き寄せて装着する工程（ｆ）と、装着後の状態（ｇ）の概要を示す斜視図である。
【図６】同リフォーム工程のうち、新設サッシを屋内側に引き寄せて装着する工程（ｆ）から新設サッシの取り付けを完了する工程（ｊ）までの概要を示す縦断面図である。
【図７】同リフォーム工程のうち、縦枠補助材を取り付ける工程（ｃ）から、新設サッシを屋内側に引き寄せて装着する工程（ｆ）（ｇ）を経て、新設サッシの取付を完了する工程（ｊ）までの概要を示す横断面図である。
【図８】同リフォーム工程のうち、新設サッシの屋内側を仕上げる工程（ｈ）から新設サッシの取付を完了する工程（ｊ）までの概要を示す斜視図である。
【図９】本発明の他の実施形態に係るリフォーム工程の概要を示す横断面図でる。
【発明を実施するための形態】
【００１８】
以下、図面を参照しつつ、本発明の実施形態にかかるリフォームサッシの構造を、その施工手順に沿って説明する。
【００１９】
図１〜図３の（ａ）〜（ｂ）は、既設サッシの障子を撤去する工程の概要を示す。例示した既設サッシは、複数枚のガラス製羽根板１１を回動させて採光と通風を得るように構成されたジャロジーである。既設サッシの枠体２０は、その一部分が躯体の屋外側にせり出した状態で躯体の開口部内に取り付けられている。枠体２０の屋内外方向における屋内側の端縁は、木製額縁３１に当接しており、その近傍には枠内方向に向かって突設する網戸取付片３２が設けられている。
【００２０】
網戸取付片３２は、既設サッシの枠体２０を構成する上枠材２１、下枠材２２、及び左右の縦枠材２３に沿って開口部の四周を囲み、その縁端部は略面一に連続している。上枠材２１から垂下した上部の網戸取付片３２１は単純な直線状の断面形状をなしているが、左右の縦枠材２３から突設された左右の網戸取付片３２３の縁端近傍には、網戸３０の左右端を位置決めするための網戸押え片３３が、屋外側に向かって短く突設されている。また、下枠材２２から立ち上がる下部の網戸取付片３２２の縁端近傍には、網戸３０の下縁部を支承する網戸受部３４が、屋外側に向かって短く突設されている。
【００２１】
ジャロジーの羽根板１１は、その両端が、枠体２０を構成する左右の縦枠材２３に添設された羽根板支持材１２に軸支されている。羽根板支持材１２は、屋外側見付部１２１と、見込部１２２と、屋内側見付部１２３とが断面略コ字状に連続し、さらに屋内側見付部１２３の縁端部から屋内側に向かって縦枠添設部１２４が延びた形状をなしている。そして、屋外側見付部１２１の縁端に形成された小さい屈曲爪片１２５と、縦枠添設部１２４の屋内側の縁端とが、それぞれ縦枠材２３の枠内面に形成された断面略Ｌ字形の取付溝部２３１に結合されている。
【００２２】
各羽根板１１の屋内側にはアーム１３が取り付けられ、それらのアーム１３が操作ロッド１４を介して上下方向に連結されている。操作ロッド１４は羽根板支持材１２の屋内側に保持されて、枠体２０の屋内側に取り付けられたオペレータ１５の回動操作により昇降する。
【００２３】
枠体２０の上枠材２１には、最上位置にある羽根板１１の上縁部に当接する羽根板押え片２１１が、枠内に向かって垂下するように設けられている。また、枠体２０の下枠材２２には、最下位置にある羽根板１１の下縁部に当接する羽根板受止片２２１が、枠内に向かって立ち上がるように設けられている
。羽根板押え片２１１の下端近傍と羽根板受止片２２１の上端近傍には、羽根板１１との隙間を塞ぐパッキン（或いはモヘヤ）２５が取り付けられている。このジャロジーにあっては、上部の羽根板押え片２１１の屋外側見付面が、羽根板支持材１２の屋外側見付面よりも僅かに、屋内側に後退している。また、下部の羽根板受止片２２１は、上部の羽根板押え片２１１よりも屋内寄りに形成されている。
【００２４】
既設サッシの障子の撤去に際しては、まず網戸３０を取り外してから、例えばジャロジーの羽根板１１や操作ロッド１４、オペレータ１５等を左右の羽根板支持材１２から取り外し、次いで左右の羽根板支持材１２を左右の縦枠材２３から分離する、といった手順を採る。すると、図１〜図３の（ｂ）に示すように、開口部には既設サッシの枠体２０のみが残された状態になる。もちろん、既設サッシの障子の撤去手順は、その枠体や障子の構造に応じて適宜選択されればよい。
【００２５】
図４の（ｃ）〜（ｄ）は、既設サッシの障子撤去に続いて、新設サッシを取り付けるための準備を整える工程の概要を示す。
【００２６】
本発明においては、既設サッシの枠体２０における屋外寄りの位置に、枠内に向かって張り出した取付面部を設けて、この取付面部に新設サッシの枠体４０（図５〜）を取り付けるという納まりを採用する。かかる取付面部は、既設サッシの枠体２０を構成する左右の縦枠材２３と上枠材とに沿って三方を門形に囲むように、かつ、その屋外側の表面が面一になるように形成されるのが、防水納まり等の面で最も好ましい。
【００２７】
既設サッシの種類によっては、既設サッシの障子部分を取り除いた後、既設サッシの枠体２０に残された突設部分またはその一部を、そのまま上述の取付面部として利用できる場合もあり得る。しかしながら、例示形態にあっては、図１〜図３の（ａ）〜（ｂ）に示した工程にて、既設サッシの枠体２０内に突設された羽根板支持材１２が取り外されてしまっている。そのため、既設サッシの枠体２０における屋外側略半部には、上枠材２１から垂下した羽根板押え片２１１と下枠材２２から立ち上がる羽根板受止片２２１しか突設部分が残されておらず、縦枠材２３に沿う部分には新設サッシの枠体４０を取り付けるための手掛かりが無くなってしまっている。そこで、新たに、新設サッシの枠体４０を取り付けるための取付面部を枠内に設ける必要が生じる。
【００２８】
例示形態にあっては、既設サッシの枠体２０を構成する縦枠材２３の、羽根板支持材１２が取り付けられていた取付溝部２３１を利用して、新規の部材である縦枠補助材５０を取り付ける。縦枠補助材５０は、図７に示すように、取り外した羽根板支持材１２と同様、屋外側見付部５０１と見込部５０２と屋内側見付部５０３とが断面略コ字状に連続し、さらに屋内側見付５０３部の縁端部から屋内側に向かって縦枠添設部５０４が延びた形状をなしている。そして、屋外側見付部５０１の縁端部と、縦枠添設部５０４の縁端部とが、既設サッシの縦枠材２３に残された２条の取付溝部２３１にそれぞれ嵌め込まれ、さらに縦枠材２３と縦枠添設部５０４との重合箇所をビス８１で綴って固定される。このとき、新たに取り付けられる縦枠補助材５０の屋外側見付部５０１が、上枠材２１から垂下した羽根板押え片２１１と、互いの屋外側見付面を面一に揃えるように取り付けられる。こうして、既設サッシの枠体２０を構成する左右の縦枠材２３と上枠材２１とに沿って、三方を門形に囲む面一の屋外側見付面が、枠内に張り出すように設けられる。この屋外側見付面が、新設サッシの枠体４０を取り付けるための取付面部となる。
【００２９】
なお、例示形態にあっては、既設サッシの枠体２０から取り外した羽根板支持材１２よりも、後付けした縦枠補助材５０のほうが見付幅が小さくなっている。そのため、既設サッシの上枠材２１に残されている羽根板押え片２１１の両端部と、後付けされる縦枠補助材５０との間に、数ミリ程度の隙間が生じてしまう。そこで、図４の（ｃ）に示すように、当該隙間の幅に相当するスペーサ５１を縦枠補助材５０の上端部に取り付けて、この隙間を塞ぐようにしている。スペーサ５１の屋外側見付面と、縦枠補助材５０の屋外側見付面とは面一に揃えられる。なお、撤去される羽根板支持材１２と後付けされる縦枠補助材５０の見付幅が等しい場合には、もちろん、このスペーサ５１は不要になる。
【００３０】
図５〜図７の（ｅ）〜（ｇ）は、上述のようにして取付面部が設けられた既設サッシの枠体２０に、新設サッシの枠体４０を装着する工程の概要を示す。例示形態にかかる新設サッシは、ガラス面材を嵌め込んだ障子（図示せず）が縦辷り出し方式で屋外側に開閉するものであり、その下部には障子を開閉するためのハンドル４５が屋内側に突設されている。ただし、本発明は、新設サッシにおける障子の構造や開閉方式を特に限定するものではない。
【００３１】
本発明においては基本的に、新設サッシの枠体４０を取り付ける作業は屋内側から行う。まず、屋内側にて新設サッシの枠体４０を保持し、適当な姿勢に傾けて既設サッシの枠体２０内を通過させ、一旦、新設サッシの枠体４０全体を屋外側に持ち出す。そして、例えば図５及び図６の（ｆ）に示すように、上部を少し屋内側に傾けた姿勢で、新設サッシの枠体４０を屋外側から再度、屋内側に引き寄せて、既設サッシの枠体２０内に嵌め込む。
【００３２】
新設サッシの枠体４０の最も屋外寄りの周縁部には、枠外に張り出す当接面部４６が形成されている。この当接面部４６は、新設サッシの枠体４０を構成する上枠材４１と左右の縦枠材４３とに沿って枠体４０の三方を門形に囲み、かつ、その屋内側表面が面一に連続している。当接面部４６の先端近傍における屋内側表面には、例えばＥＰＤＭ（エチレン−プロピレン−ジエンゴム）の発泡体、あるいはこれに準じた弾性樹脂材料等からなる止水部材４７が、枠体４０の三方に沿って連続するように予め貼着されている。
【００３３】
新設サッシの枠体４０を既設サッシの枠体２０内に装着すると、新設サッシ側の当接面部４６が、既設サッシの枠体２０に設けられた上述の取付面部（上枠材２１から垂下した羽根板押え片２１１と縦枠補助材５０の屋外側見付部５０１の、それぞれの屋外側見付面）に屋外側から重なり、それらの間に止水部材４７が挟み込まれて水密面が形成される。この種のリフォームサッシにおいては従来、新旧サッシの接合面に屋外側からシーリングを充填して水密を図るのが通常であったが、上述のように、既設サッシ側の取付面部と新設サッシ側の当接面部４６との間に止水部材４７を挟み込んで水密面を形成する納まりを採用すれば、面倒であった屋外側からのシーリング充填作業は不要になり、施工性が格段に改善される。
【００３４】
なお、サッシの下部については、新設サッシ側の下枠材４２が、既設サッシ側の下枠材２２に残された羽根板受止片２２１及び網戸受部３４の上に載置された状態で、該羽根板受止片２２１の屋外側に被さるように張り出す納まりとなり、羽根板受止片２２１によって止められた雨水が、前記張り出し部分の下側から屋外側へと排水される。
【００３５】
新設サッシの枠体４０における左右の縦枠材４３には、該枠体４０を既設サッシの枠体２０に装着した状態で仮止めする引掛手段が設けられている。例示形態に係る引掛手段は、適宜幅の帯板状をなすバネ鋼板６０を、上面視略レ字状に屈折させて構成されている。バネ鋼板６０は、その屈折部分を屋内側に向けて縦枠材４３の外側面に添設され、折り返された自由端６１が枠外方向に付勢突出している。この引掛手段は、新設サッシの枠体４０の大きさに応じて、縦枠材４３の上部近傍から下部近傍までの間の一箇所ないし複数箇所に設けられる。
【００３６】
新設サッシの枠体４０を既設サッシの枠体２０に装着すると、図７に示すように、前記バネ鋼板６０の自由端６１が、既設サッシの枠体２０に取り付けられた縦枠補助材５０の屋内側見付部５０３に屋内側から引っ掛かり、新設サッシの枠体４０が屋外側に抜けて倒れるのを防ぐ。このような引掛手段を利用して新設サッシの枠体４０を仮止めすることにより、屋内側からの作業性が更に向上する。
【００３７】
なお、かかる引掛手段については、既設サッシの枠体２０や新設サッシの枠体４０の断面形状に合わせて、バネ鋼板６０の屈折形状を適宜、改変してもよいし、また、バネ鋼板６０に替えて、例えば弾性を有する合成樹脂等で成形した適宜形状の引掛部材や、コイルバネ等の付勢力によって適所に突出するピン状の引掛部材等を利用するようなものであってもよい。
【００３８】
既設サッシの枠体２０内に装着された新設サッシの枠体４０は、新設サッシ側に設けられたビス止め部を、既設サッシ側に設けられたビス受け部に対してビス８２で綴ることにより固定される。
【００３９】
新設サッシ側のビス止め部は、新設サッシの枠体４０を構成する縦枠材４３に沿って、上述の当接面部４６よりも屋内側に設けられる。例示形態にあっては、左右の縦枠材４３の、最も屋内寄りの部分を屋内側に延設した屋内側縦延設部４８が、新設サッシ側のビス止め部として利用される。
【００４０】
一方、既設サッシ側にあっては、左右の縦枠材２３から枠内方向に張り出した網戸取付片３２３の先端近傍に、屋外側に向かって短く延びる網戸押え片３３が設けられており、この網戸押え片３３が既設サッシ側のビス受け部として、新設サッシ側のビス止め部（屋内側縦延設部４８）に相対する。
【００４１】
新設サッシの枠体４０が仮止めされた状態では、新設サッシ側のビス止め部（屋内側縦延設部４８）は、既設サッシ側の縦枠材２３から突設された左右の網戸取付片３２３の先端近傍に達する。この状態で、新設サッシ側のビス止め部（屋内側縦延設部４８）と既設サッシ側のビス受け部（網戸押え片３３）との重合箇所を、枠内側から枠外側に向かってビス８２で固定する。前記の引掛手段によって新設サッシの枠体４０が仮止めされているので、このビス固定作業は、屋内側から容易に実施することができる。
【００４２】
上述のように、本発明は、新設サッシ側のビス止め部及び既設サッシ側のビス受け部を、各枠体の縦枠材２３、４３に沿って設けるとともに、それらを重合させる位置を、既設サッシ側の取付面部（羽根板押え片２１１と縦枠補助材５０の屋外側見付面）と新設サッシ側の当接面部４６とが重合する位置よりも屋内側であって、かつ、枠内側に設けることにより、新設サッシの枠体４０の装着を容易にし、さらにその固定作業を屋内側から可能にしたものである。
【００４３】
図６〜図８の（ｈ）〜（ｊ）は、上述のようにして既設サッシの枠体２０内に固定された新設サッシの枠体４０の屋内側を仕上げて、取付を完了するまでの工程の概要を示す。
【００４４】
新設サッシの枠体４０が固定された状態において、新設サッシ側の上枠材４１は、その最も屋内寄りの位置から上向きに立ち上げられた起立片４１１を、既設サッシの枠体２０の上枠材２１から垂下した上部の網戸取付片３２１に、屋外側から当接させた状態で位置決めされる。この部分には、屋内側から断面略Ｌ字形の上枠化粧材７１を当てがい、それらの重合箇所をビス８３で綴る。また、既設サッシ側の縦枠材２３に突設された網戸取付片３２３の屋内側見付面には、縦枠化粧材７２を取り付けるための下地ピース７３をビス８４で止め付け、この下地ピース７３に縦枠化粧材７２を嵌装させる。
【００４５】
なお、新設サッシの枠体４０に設ける当接面部４６は、必ずしも例示形態のように枠体４０の最も屋外寄りの位置から張り出す必要はなく、少なくともビス止め部よりは屋外側になるようにして、既設サッシの枠体２０との取り合いを考慮しつつ適宜に設計されればよい。また、新設サッシ側のビス止め部と、これに相対する既設サッシ側のビス受け部との断面形状についても、例示形態に限定されるものではなく、屋内側から容易に、かつ確実にビス固定できる範囲で若干、改変されても差し支えない。屋内側の最終的な仕上げ形態についても、例示形態に限るものではなく、適宜改変可能である。
【００４６】
図９は、本発明の他の実施形態に係るリフォーム工程の概要を示す横断面図であって、新設サッシを屋内側に引き寄せて装着する工程（ｆ’）から、装着後の屋内側を仕上げる工程（ｊ’）までの一連の概要を示している。
【００４７】
図９に示す実施形態において、既設サッシの枠体２０、及びその縦枠材２３に後付けする縦枠補助材５０の断面形状は、図６〜図８に示した上述の実施形態と同様であり、縦枠補助材５０の屋外側見付面（屋外側見付部５０１）が既設サッシ側の取付面部となる点も、上述の実施形態と同様である。また、新設サッシの枠体４０に関しても、その屋外寄りの周縁部から枠外側に向けて当接面部４６が張り出している点、その当接面部４６が止水部材４７を挟んで既設サッシ側の前記取付面部に屋外側から重なる点、新設サッシの枠体４０に設けられた引掛手段（バネ鋼板６０）が既設サッシ側の縦枠補助材５０に屋内側から引っ掛かって新設サッシの枠体４０が仮止めされる点などは上述の実施形態と同様であるので、これらについての詳細な説明は省略する。
【００４８】
この実施形態と上述の実施形態との相違点は、新設サッシ側のビス止め部と既設サッシ側のビス受け部との重合形態にある。上述の実施形態と同様に、新設サッシの枠体４０には、その縦枠材４３の屋内寄りの部分を屋内側に延設してなる屋内側縦延設部４８が形成されているが、さらに、その屋内側縦延設部４８の屋内外方向における中間部から枠外側に向けて屋内側縦張出部４９が形成されており、さらに、屋内側縦張出部４９の外縁端部から屋内側に向けて屋内側縦当接片４９１が突設されている。これら屋内側縦張出部４９及び屋内側縦当接片４９１は、新設サッシの縦枠材４３に沿って上下に連続している。ただし、これら屋内側縦張出部４９及び屋内側縦当接片４９１の枠外側への最大張出寸法は、屋外寄りの周縁部から張り出した当接面部４６よりも枠内側に納まっている。
【００４９】
そして、この新設サッシの枠体４０を屋外側から既設サッシの枠体２０に装着すると、新設サッシ側の屋内側縦当接片４９１が既設サッシ側の網戸取付片３２３の屋外側見付面に当接する状態で、新設サッシ側の屋内側縦張出部４９と既設サッシ側の網戸取付片３２３とが平行に相対する。この状態で屋内側から、既設サッシ側の網戸取付片３２３と新設サッシ側の屋内側縦張出部４９とをビス８５で綴ることにより、新設サッシの枠体４０と既設サッシの枠体２０とが互いに固定される。すなわち、この実施形態においては、新設サッシ側の屋内側縦張出部４９がビス止め部、既設サッシ側の網戸取付片３２３がビス受け部として利用されている。
【００５０】
なお、この実施形態にあっては、新設サッシ側のビス止め部となる屋内側縦張出部４９の肉厚を増してビス８５の螺合強度を高めるとともに、その屋内側見付面には、ビス８５の螺合位置に合わせて縦方向に延びる断面Ｖ字状の迎え溝４９２を形成することにより、ビス８５の打ち込み作業を容易にしている。
【００５１】
既設サッシ側のビス受け部となる網戸取付片３２３の屋内側見付面には、上述の実施形態と同様に、縦枠化粧材７２を取り付けるための下地ピース７３をビス止めして、この下地ピース７３に縦枠化粧材７２を嵌装させる。この下地ピース７３は、新設サッシ側のビス止め部（屋内側縦張出部４９）と既設サッシ側のビス受け部（網戸取付片３２３）とを綴るビス８５によって共綴りしてもよいし、それと相前後して別のビス（図示せず）により網戸取付片３２３に止め付けてもよい。
【００５２】
この実施形態によれば、上述の実施形態に比べて新設サッシの枠体４０の左右方向における位置決め作業がしやすくなり、新設サッシの据え付け精度を向上させることができる。また、上述の実施形態では、新設サッシを固定するビス８２の施工が枠内側から枠外側に向けての作業であるのに対し、この実施形態では、新設サッシを固定するビス８５の施工が屋内側から屋外側に向けての作業になるので、作業姿勢が幾分楽になり、施工性が向上する。
【符号の説明】
【００５３】
２０  既設サッシの枠体
２１  上枠材
２３  縦枠材
２２  下枠材
３２３  網戸取付片
４０  新設サッシの枠体
４１  上枠材
４３  縦枠材
４２  下枠材
４６  当接面部
４８  ビス止め部
４７  止水部材
４９  屋内側縦張出部
４９１  屋内側縦当接片
５０  縦枠補助材
６０  バネ鋼板（引掛手段）
【図１】
2010216232.tif 000003
【図２】
2010216232.tif 000004
【図３】
2010216232.tif 000005
【図４】
2010216232.tif 000006
【図５】
2010216232.tif 000007
【図６】
2010216232.tif 000008
【図７】
2010216232.tif 000009
【図８】
2010216232.tif 000010
【図９】
2010216232.tif 000011